(57)【特許請求の範囲】
【請求項１】
対物光学系と、
前記対物光学系を介して眼底を光束でスキャンするためのスキャン系と、
前記スキャン系により収集されたデータに基づいて画像を形成する画像形成部と、
画像合成部とを含み、
前記対物光学系は、
第１光学部材と、前記第１光学部材よりも被検眼側に配置された第２光学部材と、を含む光学ユニットと、
前記スキャン系と前記光学ユニットとの間に配置された１以上のレンズと、
を含み、
前記スキャン系の光軸に対して斜行して前記第１光学部材における前記光軸の近傍領域を通過した前記光束を少なくとも２回反射して前記第２光学部材における前記光軸の近傍領域を通じて前記眼底に照射し、
前記光学ユニットは、前記光束の光路に対して挿脱可能であり、
前記画像合成部は、前記光路に前記光学ユニットが挿入された状態で前記スキャン系により収集されたデータに基づき前記画像形成部により形成された第１画像と、前記光路から前記光学ユニットが退避された状態で前記スキャン系により収集されたデータに基づき前記画像形成部により形成された第２画像とを合成して合成画像を形成する
ことを特徴とする眼科撮影装置。
【請求項２】
対物光学系と、
前記対物光学系を介して眼底を光束でスキャンするためのスキャン系と、
を含み、
前記対物光学系は、被検眼に対向して配置される対物レンズを含む光学ユニットを含み、
前記対物レンズは、
前記スキャン系側の第１レンズ面における前記スキャン系の光軸の近傍に形成された第１透光領域と、
前記第１レンズ面における前記第１透光領域以外の領域の少なくとも一部に形成された第１内部反射領域と、
前記被検眼側の第２レンズ面における前記光軸の近傍に形成された第２透光領域と、
前記第２レンズ面における前記第２透光領域以外の領域の少なくとも一部に形成された第２内部反射領域と、
を備え、
前記光軸に対して斜行して前記第１透光領域を通過した前記光束を前記第１内部反射領域及び前記第２内部反射領域において反射して前記第２透光領域を通じて前記眼底に照射する
ことを特徴とする眼科撮影装置。
【請求項３】
前記対物光学系は、前記スキャン系と前記光学ユニットとの間に配置された１以上のレンズを含み、
前記光学ユニットは、前記光束の光路に対して挿脱可能である
ことを特徴とする請求項２に記載の眼科撮影装置。
【請求項４】
前記スキャン系により収集されたデータに基づいて画像を形成する画像形成部と、
前記光路に前記光学ユニットが挿入された状態で前記スキャン系により収集されたデータに基づき前記画像形成部により形成された第１画像と、前記光路から前記光学ユニットが退避された状態で前記スキャン系により収集されたデータに基づき前記画像形成部により形成された第２画像とを合成して合成画像を形成する画像合成部と、
を含む
ことを特徴とする請求項１又は請求項３に記載の眼科撮影装置。
【請求項５】
前記画像合成部は、前記第２画像が中央部に配置され、前記第１画像が周辺部に配置された前記合成画像を形成する
ことを特徴とする請求項１又は請求項４に記載の眼科撮影装置。
【発明の詳細な説明】
【技術分野】
【０００１】
この発明は、眼科撮影装置に関する。
【背景技術】
【０００２】
眼疾患のスクリーニングなどを行うための眼科撮影装置には、簡便に広い視野で被検眼の眼底などの撮影が可能なものが求められている。このような眼科撮影装置として、走査型レーザー検眼鏡（Ｓｃａｎｎｉｎｇ  Ｌａｓｅｒ  Ｏｐｈｔｈａｌｍｏｓｃｏｐｅ：以下、ＳＬＯ）が知られている。ＳＬＯは、光で眼底をスキャンし、その戻り光を受光デバイスで検出することにより眼底の画像を形成する装置である。
【０００３】
例えば特許文献１には、３つの光スキャナを備え、これらを制御することにより広い領域でのスキャンと、このスキャン領域の一部を拡大するスキャンとを実行可能なＳＬＯが開示されている。
【先行技術文献】
【特許文献】
【０００４】
【特許文献１】特開２０１５−２２９０２３号公報
【発明の概要】
【発明が解決しようとする課題】
【０００５】
しかしながら、ＳＬＯ等の眼科撮影装置により取得された画像の中央部に、対物レンズや被検眼の角膜の表面反射に起因したゴースト（ノイズ）が描出されることが知られている。ゴーストのサイズ及び光量は、画角が広くなるほど大きくなる。取得された画像の中央部には注目部位が配置される場合が多く、中央部にゴーストが描出されると診断に支障をきたす場合がある。
【０００６】
この発明は、このような事情に鑑みてなされたものであり、その目的は、ゴーストの描出が抑制された広角画像の取得が可能な眼科撮影装置を提供することにある。
【課題を解決するための手段】
【０００７】
実施形態に係る眼科撮影装置は、対物光学系と、スキャン系と、画像形成部と、画像合成部とを含む。スキャン系は、対物光学系を介して眼底を光束でスキャンするために用いられる。画像形成部は、スキャン系により収集されたデータに基づいて画像を形成する。対物光学系は、第１光学部材と、第１光学部材よりも被検眼側に配置された第２光学部材と、を含む光学ユニットと、スキャン系と光学ユニットとの間に配置された１以上のレンズとを含み、スキャン系の光軸に対して斜行して第１光学部材における光軸の近傍領域を通過した光束を少なくとも２回反射して第２光学部材における光軸の近傍領域を通じて眼底に照射する。光学ユニットは、上記の光束の光路に対して挿脱可能である。画像合成部は、上記の光路に光学ユニットが挿入された状態でスキャン系により収集されたデータに基づき画像形成部により形成された第１画像と、上記の光路から光学ユニットが退避された状態でスキャン系により収集されたデータに基づき画像形成部により形成された第２画像とを合成して合成画像を形成する。
【発明の効果】
【０００８】
この発明によれば、ゴーストの描出が抑制された広角画像の取得が可能な眼科撮影装置を提供することができる。
【図面の簡単な説明】
【０００９】
【図１】実施形態に係る眼科撮影装置の光学系の構成の一例を示す概略図である。
【図２】実施形態に係る眼科撮影装置の光学系の構成の一例を示す概略図である。
【図３】実施形態に係る眼科撮影装置の光学系の構成の一例を示す概略図である。
【図４】実施形態に係る眼科撮影装置の処理系の構成の一例を示す概略図である。
【図５】実施形態に係る眼科撮影装置の第１動作例のフロー図である。
【図６Ａ】実施形態に係る眼科撮影装置の動作説明図である。
【図６Ｂ】実施形態に係る眼科撮影装置の動作説明図である。
【図６Ｃ】実施形態に係る眼科撮影装置の動作説明図である。
【図６Ｄ】実施形態に係る眼科撮影装置の動作説明図である。
【図６Ｅ】実施形態に係る眼科撮影装置の動作説明図である。
【図７】実施形態に係る眼科撮影装置の第２動作例のフロー図である。
【図８】実施形態に係る眼科撮影装置の第３動作例のフロー図である。
【図９Ａ】実施形態の第１変形例に係る眼科撮影装置の光学系の構成の一例を示す概略図である。
【図９Ｂ】実施形態の第２変形例に係る眼科撮影装置の光学系の構成の一例を示す概略図である。
【発明を実施するための形態】
【００１０】
この発明に係る眼科撮影装置の実施形態の例について、図面を参照しながら詳細に説明する。なお、この明細書において引用された文献の記載内容や任意の公知技術を、以下の実施形態に援用することが可能である。
【００１１】
実施形態に係る眼科撮影装置は、光スキャナを用いて光源からの光を偏向し、偏向された光を被検眼（対象眼、患者眼）に照射することにより、被検眼の瞳孔を通して光を被検眼の後眼部（眼底、硝子体等）の広い範囲に照射することが可能な装置である。このような構成は、後眼部に光を照射することが可能な任意の眼科撮影装置に適用することができる。後眼部に光を照射することが可能な眼科撮影装置には、レーザー光を眼底における治療部位に照射するためのレーザー治療装置や、被検眼に固視させた状態で視標を移動させながら被検者（患者）の応答に基づき視野を測定するための視野計などが含まれる。
【００１２】
また、実施形態に係る眼科撮影装置は、被検眼の後眼部からの戻り光を受光することにより当該後眼部における所定データの分布（画像や層厚分布や病変分布など）を形成することが可能である。このような構成は、後眼部を光で走査してデータを取得可能な任意の眼科撮影装置に適用することができる。後眼部を光で走査してデータを取得可能な眼科撮影装置には、共焦点光学系を用いたレーザー走査により眼底の正面画像を得るＳＬＯや、光コヒーレンストモグラフィ（Ｏｐｔｉｃａｌ  Ｃｏｈｅｒｅｎｃｅ  Ｔｏｍｏｇｒａｐｈｙ：以下、ＯＣＴ）を用いて眼底の断層像を得る光干渉断層計や、ＳＬＯの機能と光干渉断層計の機能とを組み合わせた複合機などがある。以下、実施形態に係る眼科撮影装置が、ＳＬＯの機能と光干渉断層計の機能とを有する場合について説明する。
【００１３】
以下では、被検者から見て左右方向をＸ方向とし、上下方向をＹ方向とし、被検者から見て光学系の奥行き方向をＺ方向として説明する。
【００１４】
［光学系］
図１〜図３に、実施形態に係る眼科撮影装置の光学系の構成例を示す。実施形態に係る眼科撮影装置は、撮影モードに対応した範囲の被検眼の画像を取得することが可能である。眼科撮影装置は、撮影モードに対応した対物光学ユニットを光学系の光軸に選択的に配置することが可能である。
【００１５】
図１は、高倍率（狭角（狭画角））撮影モードに設定されているときの眼科撮影装置の光学系の構成例を表す。図２は、撮影モードに応じて変更可能な実施形態に係る対物光学系の構成例を表す。図２において、図１と同様の部分には同一符号を付し、適宜説明を省略する。図３は、広角（広画角）撮影モードに設定されているときの眼科撮影装置の光学系の構成例を表す。図３において、図１又は図２と同様の部分には同一符号を付し、適宜説明を省略する。図１及び図３では、被検眼Ｅの眼底Ｅｆと光学的に共役な位置が眼底共役位置Ｐとして図示され、被検眼Ｅの瞳（瞳孔）と光学的に共役な位置が瞳共役位置Ｑとして図示されている。
【００１６】
光学系１００は、対物光学系１１０を介して被検眼に光を投射する投射系と、投射系により被検眼Ｅに投射された光の戻り光を対物光学系１１０を介して受光する受光系とを含む。眼科撮影装置は、受光系による受光結果に基づいて画像を形成する。実施形態に係る眼科撮影装置は、ＳＬＯ画像及びＯＣＴ画像を形成することが可能である。すなわち、光学系１００は、ＳＬＯ光学系１３０と、ＯＣＴ光学系１４０とを含む。ＳＬＯ光学系１３０は、ＳＬＯ投射系と、ＳＬＯ受光系とを含む。ＯＣＴ光学系１４０は、ＯＣＴ投射系と、ＯＣＴ受光系とを含む。
【００１７】
眼科撮影装置には、被検眼の前眼部を撮影するための前眼部撮影系（前眼部観察系）１２０が設けられている。光学系１００は、対物光学系１１０や前眼部撮影系１２０と共に、図示しない移動機構（後述の移動機構１００Ｄ）によりＸ方向、Ｙ方向及びＺ方向に移動可能である。眼科撮影装置は、前眼部撮影系１２０により得られた被検眼Ｅの前眼部画像に基づいて移動機構により光学系１００等を移動することにより、被検眼Ｅに対して光学系１００の位置合わせを行うためのアライメントを行うことが可能である。以下では、光学系１００が対物光学系１１０や前眼部撮影系１２０を含む場合について説明するが、光学系１００がこれらを含まない構成であってもよい。
【００１８】
（対物光学系）
眼科撮影装置は、撮影モードに応じて対物光学ユニットを光学系１００の光軸Ｏに選択的に配置することが可能である。この実施形態では、撮影モードには、第１範囲（例えば画角が５０度）で被検眼Ｅを撮影する高倍率撮影モードと、第１範囲より広い第２範囲（例えば画角が１０５度）で被検眼Ｅを撮影する広角撮影モードとがある。高倍率撮影モードでは、被検眼Ｅの第１範囲を表す高倍率（狭角）の画像（ＳＬＯ画像又はＯＣＴ画像）が取得される。広角撮影モードでは、被検眼Ｅの第１範囲より広い第２範囲を表す広角の画像（ＳＬＯ画像又はＯＣＴ画像）が取得される。以下、高倍率撮影モードで取得された画像を「狭角画像」（「標準画像」）と表記し、広角撮影モードで取得された画像を「広角画像」と表記する場合がある。
【００１９】
対物光学系１１０は、対物光学ユニット１１０Ａ、１１０Ｂを含む（図２参照）。対物光学系１１０には、画角を変更するための画角変更機構１１６が設けられている。画角変更機構１１６は、例えば公知の回転機構又はスライド機構を含む。この実施形態では、対物光学ユニット１１０Ｂは、画角変更機構１１６により光学系１００の光軸Ｏ（光学系１００からの光の光路）に対して挿脱可能である。すなわち、撮影モードに応じて画角変更機構１１６により対物光学ユニット１１０Ａと被検眼Ｅとの間に対物光学ユニット１１０Ｂを選択的に配置することにより画角の変更が可能である。高倍率撮影モードでは、光学系１００の光軸にその光軸が一致するように対物光学ユニット１１０Ａが配置される（図１）。広角撮影モードでは、対物光学ユニット１１０Ａと被検眼Ｅとの間において、光軸Ｏにその光軸が一致するように対物光学ユニット１１０Ａ、１１０Ｂが配置される（図３）。例えば、対物光学系１１０に、光軸Ｏに対物光学ユニット１１０Ｂが配置された否かを検出する検出部を設けることにより、後述の制御部２００は、光軸Ｏに対物光学ユニット１１０Ｂの配置の有無の検出結果から撮影モードの種別を特定することが可能である。なお、画角変更機構１１６は、後述の制御部２００からの制御を受け、対物光学ユニット１１０Ｂを自動で光軸Ｏに選択的に配置させてもよい。例えば、対物光学ユニット１１０Ｂが対物光学ユニット１１０Ａに相当するレンズ群を含み、撮影モードに応じて、対物光学ユニット１１０Ａと対物光学ユニット１１０Ｂとを選択的に配置可能であってもよい。
【００２０】
対物光学ユニット１１０Ａは、２以上のレンズを含む。２以上のレンズの間には、ダイクロイックミラーＤＭ１が設けられる。例えば、対物光学ユニット１１０Ａは、凸レンズ１１１Ａ、１１２Ａと、凹レンズ１１３Ａとを含むレンズユニット（ナグラータイプ）であってよい。被検眼Ｅの側から凸レンズ１１１Ａ、１１２Ａ、及び凹レンズ１１３Ａの順序で配置されている。凸レンズ１１２Ａと凹レンズ１１３Ａとの間にダイクロイックミラーＤＭ１が配置されている。ダイクロイックミラーＤＭ１は、ＳＬＯ光学系１３０の光路及びＯＣＴ光学系１４０の光路の双方に前眼部撮影系１２０の光路を結合する光路結合部材である。ダイクロイックミラーＤＭ１と凹レンズ１１３Ａとの間に眼底（網膜）と光学的に共役な位置（眼底共役位置）Ｐ又はその近傍が配置されている。対物光学ユニット１１０Ａは、ダイクロイックミラーＤＭ１を含んでもよい。
【００２１】
ダイクロイックミラーＤＭ１は、ＳＬＯ光学系１３０からの光（ＳＬＯ光）、その被検眼Ｅからの戻り光、ＯＣＴ光学系１４０からの光（ＯＣＴ光、測定光）及びその被検眼Ｅからの戻り光を透過させる。ダイクロイックミラーＤＭ１は、前眼部撮影系１２０からの光を被検眼Ｅに向けて反射し、その被検眼Ｅからの戻り光を前眼部撮影系１２０に向けて反射する。
【００２２】
対物光学ユニット１１０Ｂは、反射光学系の光学素子として、第１球面鏡１１１Ｂと、第２球面鏡１１２Ｂとを含む。第１球面鏡１１１Ｂは、第２球面鏡１１２Ｂよりも被検眼Ｅの側に配置されている。第１球面鏡１１１Ｂにおける光軸Ｏの近傍領域（第１球面鏡１１１Ｂの中央部）には、開口が形成されている。第１球面鏡１１１Ｂの光学系１００の側の面には、照射された光を光学系１００の側に向けて反射する反射面が設けられている。第２球面鏡１１２Ｂにおける光軸Ｏの近傍領域（第２球面鏡１１２Ｂの中央部）には、開口が形成されている。第２球面鏡１１２Ｂの被検眼Ｅの側の面には、照射された光を被検眼Ｅの側に向けて反射する反射面が設けられている。なお、第１球面鏡１１１Ｂ及び第２球面鏡１１２Ｂの少なくとも一方の反射面は、球面ではなく、楕円面や自由曲面であってよい。また、第１球面鏡１１１Ｂ及び第２球面鏡１１２Ｂの少なくとも一方における光軸Ｏの近傍領域には透光部が設けられていてもよい。
【００２３】
対物光学ユニット１１０Ａを通過し、光軸Ｏに対して斜行して第２球面鏡１１２Ｂに形成された開口（光軸Ｏの近傍領域）を通過した光（ＳＬＯ光、ＯＣＴ光）は、第１球面鏡１１１Ｂにより第２球面鏡１１２Ｂの反射面に向けて反射される。第１球面鏡１１１Ｂにより反射された光は、第２球面鏡１１２Ｂにより第１球面鏡１１１Ｂに形成された開口（光軸Ｏの近傍領域）を通じて被検眼Ｅの眼底に照射される。すなわち、対物光学ユニット１１０Ｂは、光軸Ｏに対して斜行して第２球面鏡１１２Ｂにおける光軸Ｏの近傍領域を通過した光を少なくとも２回反射して第１球面鏡１１１Ｂにおける光軸Ｏの近傍領域を通じて眼底に照射する。被検眼Ｅの眼底に照射された光の戻り光は、同じ経路を通って光学系１００に導かれる。
【００２４】
以下、主として、対物光学系１１０として光軸Ｏに対物光学ユニット１１０Ａだけが配置されている場合について説明する。
【００２５】
（前眼部撮影系）
前眼部撮影系１２０は、前眼部照明光源１２１と、コリメートレンズ１２２と、前眼部撮影カメラ１２３と、結像レンズ１２４と、ビームスプリッタＢＳ１とを含む。ビームスプリッタＢＳ１は、被検眼Ｅの前眼部を照明するための照明光の光路に、その戻り光の光路を結合する光路結合部材である。
【００２６】
前眼部照明光源１２１は、被検眼Ｅの前眼部を照明するための光源である。前眼部撮影カメラ１２３は、前眼部照明光源１２１により照明された被検眼Ｅの前眼部からの反射光（戻り光）を検出するための撮像素子を備えている。前眼部照明光源１２１には、例えば、中心波長が９５０ｎｍの光を発するＬＥＤが用いられる。前眼部照明光源１２１により発せられた光は、コリメートレンズ１２２により平行光束とされる。平行光束とされた照明光は、ビームスプリッタＢＳ１によりダイクロイックミラーＤＭ１に向けて反射される。ビームスプリッタＢＳ１により反射された照明光は、ダイクロイックミラーＤＭ１により被検眼Ｅに向けて偏向される。被検眼Ｅからの照明光の戻り光は、ダイクロイックミラーＤＭ１により反射され、ビームスプリッタＢＳ１を透過する。ビームスプリッタＢＳ１を透過した戻り光は、結像レンズ１２４により前眼部撮影カメラ１２３における撮像素子の検出面に集光される。撮像素子の検出面は、瞳共役位置（前眼部共役位置）Ｑ又はその近傍に配置されている。撮像素子は、例えば、ＣＣＤ又はＣＭＯＳイメージセンサにより構成されている。撮像素子による被検眼Ｅの前眼部からの戻り光の検出結果は、前眼部の画像の形成に用いられる。
【００２７】
（ＳＬＯ光学系）
ＳＬＯ光学系１３０の光路とＯＣＴ光学系１４０の光路とは、ダイクロイックミラーＤＭ２により結合される。ＳＬＯ光学系１３０の少なくとも一部がテレセントリック光学系として形成されている。同様に、ＯＣＴ光学系１４０の少なくとも一部がテレセントリック光学系として形成されている。ダイクロイックミラーＤＭ２は、ＳＬＯ光学系１３０のテレセントリック光学系により形成される光路とＯＣＴ光学系１４０のテレセントリック光学系により形成される光路とを結合する。それにより、対物光学系１１０の移動により光学系１００の焦点位置を変更した場合でも瞳（例えば対物光学系１１０による射出瞳）の収差が小さくなるため、合焦状態の調整が容易になる。
【００２８】
ＳＬＯ光学系１３０は、ＳＬＯ光源１３１と、コリメートレンズ１３２と、ビームスプリッタＢＳ２と、集光レンズ１３３と、共焦点絞り１３４と、検出器１３５と、光スキャナ１３６と、レンズ１３７とを含む。ビームスプリッタＢＳ２は、被検眼Ｅに投射されるＳＬＯ光の光路に、その戻り光の光路を結合する光路結合部材である。
【００２９】
ＳＬＯ光源１３１は、例えば中心波長が８４０ｎｍの光を発するものが用いられる。ＳＬＯ光源１３１として、例えばレーザーダイオード（Ｌａｓｅｒ  Ｄｉｏｄｅ：以下、ＬＤ）、スーパールミネッセントダイオード（Ｓｕｐｅｒ  Ｌｕｍｉｎｅｓｃｅｎｔ  Ｄｉｏｄｅ：ＳＬＤ）、レーザードリブンライトソース（Ｌａｓｅｒ  Ｄｒｉｖｅｎ  Ｌｉｇｈｔ  Ｓｏｕｒｃｅ：ＬＤＬＳ）などが挙げられる。ＳＬＯ光源１３１は、眼底（網膜）と光学的に共役な位置（眼底共役位置）Ｐ又はその近傍に配置されている。
【００３０】
ＳＬＯ光源１３１から発せられた光は、コリメートレンズ１３２により平行光束とされる。平行光束とされた光は、ビームスプリッタＢＳ２を透過する。ビームスプリッタＢＳ２を透過した光は、光スキャナ１３６により偏向される。光スキャナ１３６は、ＳＬＯ光源１３１からの光で被検眼Ｅの眼底Ｅｆを走査するために用いられる。光スキャナ１３６は、Ｘ方向に光を偏向させる光スキャナ１３６Ｘと、Ｙ方向に光を偏向させる光スキャナ１３６Ｙとを含む。光スキャナ１３６Ｘは、その傾きが変更可能なミラーであり、後述の制御部２００により反射面の傾きが制御される。光スキャナ１３６は、例えば、眼底面内の水平方向の走査に用いられる。光スキャナ１３６Ｘの被検眼Ｅの側には、光スキャナ１３６Ｙが配置されている。光スキャナ１３６Ｙは、その傾きが変更可能なミラーであり、制御部２００により反射面の傾きが制御される。光スキャナ１３６Ｙは、例えば、水平方向に直交する眼底面内の垂直方向の走査に用いられる。光スキャナ１３６Ｘ及び光スキャナ１３６Ｙのいずれか一方は、ガルバノミラーなどの低速スキャナであり、他方は、レゾナントミラーやポリゴンミラー、或いはＭＥＭＳ（Ｍｉｃｒｏ  Ｅｌｅｃｔｒｏ  Ｍｅｃｈａｎｉｃａｌ  Ｓｙｓｔｅｍｓ：以下、ＭＥＭＳ）ミラーなどの高速スキャナであってよい。光スキャナ１３６Ｙの反射面は、被検眼Ｅの瞳と光学的に共役な位置（瞳共役位置）Ｑ又はその近傍に配置されている。光スキャナ１３６Ｙの被検眼Ｅの側には、レンズ１３７と、ダイクロイックミラーＤＭ２とが配置されている。光スキャナ１３６により偏向されたＳＬＯ光源１３１からの光は、レンズ１３７及びダイクロイックミラーＤＭ２を透過し、対物光学系１１０を介して被検眼Ｅに投射される。
【００３１】
被検眼Ｅに投射されたＳＬＯ光源１３１からの光の戻り光は、同じ光路を経由してビームスプリッタＢＳ２により検出器１３５に向けて反射される。ビームスプリッタＢＳ２と検出器１３５との間には、集光レンズ１３３と共焦点絞り１３４とが配置されている。集光レンズ１３３は、ビームスプリッタＢＳ２により反射された光を集光する。集光レンズ１３３により集光された光は、共焦点絞り１３４に形成された開口を通過し、検出器１３５の検出面に入射する。共焦点絞り１３４に形成された開口は、眼底（網膜）と光学的に共役な位置（眼底共役位置）Ｐ又はその近傍に配置されている。検出器１３５は、例えば、アバランシェフォトダイオード（Ａｖａｌａｎｃｈｅ  ＰｈｏｔｏＤｉｏｄｅ：ＡＰＤ）又は光電子増倍管（ＰｈｏｔｏＭｕｌｔｉｐｌｉｅｒ  Ｔｕｂｅ：ＰＭＴ）により構成されている。
【００３２】
（ＯＣＴ光学系）
ＯＣＴ光学系１４０は、合焦レンズ１４１と、光スキャナ１４２と、コリメートレンズ１４３と、干渉光学系１５０とを含む。干渉光学系１５０は、ＯＣＴ光源１５１と、ファイバーカプラ１５２、１５３と、プリズム１５４と、検出器１５５とを含む。
【００３３】
合焦レンズ１４１は、図示しない移動機構（後述の移動機構１４１Ｄ）によりＯＣＴ光学系１４０の光軸（光路）に沿って移動可能である。それにより、ＳＬＯ光学系１３０とは独立にＯＣＴ光学系１４０の焦点位置を変更することが可能になる。従って、例えば対物光学系１１０の移動によりＳＬＯ光学系１３０及びＯＣＴ光学系１４０の合焦状態が調整された後、合焦レンズ１４１の移動によりＯＣＴ光学系１４０の合焦状態の微調整を行うことができる。
【００３４】
光スキャナ１４２は、ＯＣＴ光源１５１からの光に基づく測定光で被検眼Ｅの眼底Ｅｆを走査するために用いられる。光スキャナ１４２は、Ｘ方向に光を偏向させる光スキャナ１４２Ｘと、Ｙ方向に光を偏向させる光スキャナ１４２Ｙとを含む。光スキャナ１４２Ｘは、その傾きが変更可能なミラーであり、制御部２００により反射面の傾きが制御される。光スキャナ１４２は、例えば、眼底面内の水平方向の走査に用いられる。光スキャナ１４２Ｘの被検眼Ｅの側には、光スキャナ１４２Ｙが配置されている。光スキャナ１４２Ｙは、その傾きが変更可能なミラーであり、制御部２００により反射面の傾きが制御される。光スキャナ１４２Ｙは、例えば、水平方向に直交する眼底面内の垂直方向の走査に用いられる。光スキャナ１４２Ｘ及び光スキャナ１４２Ｙのいずれか一方は、低速なガルバノミラーなどの低速スキャナであり、他方は、高速なガルバノミラーなどの高速スキャナであってよい。光スキャナ１４２Ｘ、１４２Ｙの中間位置は、被検眼Ｅの瞳と光学的に共役な位置（瞳共役位置）Ｑ又はその近傍に配置されている。光スキャナ１４２ＹのＯＣＴ光源１５１の側には、コリメートレンズ１４３が配置されている。
【００３５】
干渉光学系１５０には、被検眼ＥのＯＣＴ画像を取得するための光学系が設けられている。この光学系は、従来のスウェプトソースタイプのＯＣＴ装置と同様の構成を有する。すなわち、この光学系は、波長掃引型（波長走査型）光源からの光を測定光と参照光とに分割し、被検眼Ｅからの測定光の戻り光と参照光路を経由した参照光とを干渉させて干渉光を生成し、この干渉光を検出する干渉光学系である。干渉光学系による干渉光の検出結果（検出信号）は、干渉光のスペクトルを示す信号である。なお、干渉光学系１５０は、スウェプトソースタイプのＯＣＴ装置ではなく、従来のスペクトラルドメインタイプのＯＣＴ装置と同様の構成を有していてもよい。
【００３６】
ＯＣＴ光源１５１は、ＯＣＴ光（出射光）の波長を掃引（走査）可能な波長掃引型（波長走査型）光源である。波長掃引型光源には、例えば、共振器を含み、中心波長が１０５０ｎｍの光を発するレーザー光源が用いられる。ＯＣＴ光源１５１は、人眼では視認できない近赤外の波長帯において、出力波長を時間的に変化させる。
【００３７】
ＯＣＴ光源１５１から出力された光Ｌ０は、光ファイバｆ１によりファイバーカプラ１５２に導かれて測定光ＬＳと参照光ＬＲとに分割される。
【００３８】
参照光ＬＲは、光ファイバｆ２によりファイバ出射端ｃ１に導かれて、ファイバ出射端ｃ１からコリメートレンズ１５６に照射される。ファイバ出射端ｃ１から出射された参照光ＬＲは、コリメートレンズ１５６により平行光束とされる。平行光束とされた参照光ＬＲは、プリズム１５４に導かれる。プリズム１５４は、コリメートレンズ１５６により平行光束とされた参照光ＬＲの進行方向を逆方向に折り返す。プリズム１５４に入射する参照光ＬＲの光路と、プリズム１５４から出射する参照光ＬＲの光路とは平行である。プリズム１５４は、図示しない移動機構（後述の移動機構１５４Ｄ）により参照光ＬＲの入射光路及び出射光路に沿う方向に移動可能である。この場合、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。それにより、参照光ＬＲの光路の長さが変更される。
【００３９】
プリズム１５４を経由した参照光ＬＲは、コリメートレンズ１５７によって平行光束から集束光束に変換されてファイバ入射端ｃ２に入射し、光ファイバｆ３によりファイバーカプラ１５３に導かれる。なお、コリメートレンズ１５６，１５７とプリズム１５４との間に、光路長補正部材や分散補償部材が配置されていてもよい。光路長補正部材は、参照光ＬＲの光路長（光学距離）と測定光ＬＳの光路長とを合わせるための遅延手段として作用する。分散補償部材は、参照光ＬＲと測定光ＬＳとの間の分散特性を合わせるための分散補償手段として作用する。
【００４０】
一方、ファイバーカプラ１５２により生成された測定光ＬＳは、光ファイバｆ４によりファイバ端ｃ３に導かれる。ファイバ端ｃ３に導かれた測定光ＬＳは、コリメートレンズ１４３に照射される。ファイバ端ｃ３は、眼底（網膜）と光学的に共役な位置（眼底共役位置）Ｐ又はその近傍に配置されている。ファイバ端ｃ３から照射された測定光ＬＳは、コリメートレンズ１４３により平行光束とされる。平行光束にされた測定光ＬＳは、光スキャナ１４２及び合焦レンズ１４１を経由してダイクロイックミラーＤＭ２に到達する。測定光ＬＳは、ダイクロイックミラーＤＭ２により反射され、対物光学系１１０により屈折されて被検眼Ｅに照射される。測定光ＬＳは、被検眼Ｅの様々な深さ位置において散乱（反射を含む）される。このような後方散乱光を含む測定光ＬＳの戻り光は、往路と同じ経路を逆向きに進行してファイバーカプラ１５２に導かれ、光ファイバｆ５を経由してファイバーカプラ１５３に到達する。
【００４１】
ファイバーカプラ１５３は、光ファイバｆ５を介して入射された測定光ＬＳと、光ファイバｆ３を介して入射された参照光ＬＲとを合成して（干渉させて）干渉光を生成する。ファイバーカプラ１５３は、所定の分岐比（例えば１：１）で、測定光ＬＳと参照光ＬＲとの干渉光を分岐することにより、一対の干渉光ＬＣを生成する。ファイバーカプラ１５３から出射した一対の干渉光ＬＣは、検出器１５５に導かれる。
【００４２】
検出器１５５は、例えば一対の干渉光ＬＣをそれぞれ検出する一対のフォトディテクタを有し、これらによる検出結果の差分を出力するバランスドフォトダイオード（Ｂａｌａｎｃｅｄ  Ｐｈｏｔｏ  Ｄｉｏｄｅ）である。検出器１５５は、その検出結果（検出信号）を図示しないＤＡＱ（Ｄａｔａ  Ａｃｑｕｉｓｉｔｉｏｎ  Ｓｙｓｔｅｍ）に送る。ＤＡＱには、ＯＣＴ光源１５１からクロックが供給される。このクロックは、ＯＣＴ光源１５１において、波長掃引型光源により所定の波長範囲内で掃引（走査）される各波長の出力タイミングに同期して生成される。ＤＡＱは、このクロックに基づき、検出器１５５の検出結果をサンプリングし、後述の画像形成部等に送る。画像形成部は、例えば一連の波長走査毎に（Ａライン毎に）、検出器１５５により得られた検出結果に基づくスペクトル分布にフーリエ変換等を施すことにより、各Ａラインにおける反射強度プロファイルを形成する。更に、画像形成部は、各Ａラインの反射強度プロファイルを画像化することにより画像データを形成する。
【００４３】
［処理系］
図４に、実施形態に係る眼科撮影装置の処理系の構成例を示す。図４において、図１及び図３と同様の部分には同一符号を付し、適宜説明を省略する。
【００４４】
（制御部）
実施形態に係る眼科撮影装置の処理系は、制御部２００を中心に構成される。制御部２００は、眼科撮影装置の各部の制御を行う。制御部２００は、主制御部２０１と、記憶部２０２とを含む。主制御部２０１の機能は、例えばマイクロプロセッサにより実現される。記憶部２０２には、眼科撮影装置を制御するためのコンピュータプログラムがあらかじめ格納される。このコンピュータプログラムには、各種の光源制御用プログラム、光スキャナ制御用プログラム、各種の検出器制御用プログラム、画像形成用プログラム、データ処理用プログラム及びユーザインターフェイス用プログラムなどが含まれる。このようなコンピュータプログラムに従って主制御部２０１が動作することにより、制御部２００は制御処理を実行する。
【００４５】
対物光学系１１０に対する制御として、対物光学系１１０を光軸Ｏに沿って移動させる移動機構１１０Ｄに対する制御などがある。例えば、移動機構１１０Ｄには、移動機構１１０Ｄを移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１１０Ｄに対する制御を行う。
【００４６】
ＳＬＯ光学系１３０に対する制御として、ＳＬＯ光源１３１の制御、光スキャナ１３６の制御、検出器１３５の制御などがある。ＳＬＯ光源１３１の制御には、光源の点灯、消灯、光量調整、絞り調整などがある。光スキャナ１３６の制御には、光スキャナ１３６Ｘによる走査位置や走査範囲の制御、光スキャナ１３６Ｙによる走査位置や走査範囲の制御などがある。検出器１３５の制御には、検出素子の露光調整やゲイン調整や検出レート調整などがある。
【００４７】
ＯＣＴ光学系１４０に対する制御として、ＯＣＴ光源１５１の制御、光スキャナ１４２の制御、移動機構１４１Ｄや移動機構１５４Ｄの制御、検出器１５５の制御などがある。ＯＣＴ光源１５１の制御には、光源の点灯、消灯、光量調整、絞り調整などがある。光スキャナ１４２の制御には、光スキャナ１４２Ｘによる走査位置や走査範囲の制御、光スキャナ１４２Ｙによる走査位置や走査範囲の制御などがある。移動機構１４１Ｄは、ＯＣＴ光学系１４０の光路に沿って合焦レンズ１４１を移動する。例えば、移動機構１４１Ｄには、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１４１Ｄに対する制御を行う。移動機構１５４Ｄは、プリズム１５４を参照光ＬＲの入射光路及び出射光路に沿う方向に移動する。例えば、移動機構１５４Ｄには、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１５４Ｄに対する制御を行う。検出器１５５の制御には、検出素子の露光調整やゲイン調整や検出レート調整などがある。
【００４８】
前眼部撮影系１２０に対する制御として、前眼部照明光源１２１の制御、前眼部撮影カメラ１２３の制御などがある。前眼部照明光源１２１の制御には、光源の点灯、消灯、光量調整、絞り調整などがある。前眼部撮影カメラ１２３の制御には、撮像素子の露光調整やゲイン調整や撮影レート調整などがある。
【００４９】
光学系１００に対する制御として、光学系１００（ダイクロイックミラーＤＭ１、前眼部撮影系１２０を含む）をＸ方向、Ｙ方向及びＺ方向に移動する移動機構１００Ｄの制御などがある。例えば、移動機構１００Ｄには、移動機構を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。主制御部２０１は、アクチュエータに対して制御信号を送ることにより、移動機構１００Ｄに対する制御を行う。
【００５０】
主制御部２０１は、アライメント制御部２０１Ａと、トラッキング制御部２０１Ｂと、表示制御部２０１Ｃとを含む。
【００５１】
アライメント制御部２０１Ａは、被検眼Ｅに対して光学系１００の位置合わせを行うためのアライメントの実行を制御する。アライメント制御部２０１Ａは、前眼部撮影系１２０により得られた被検眼Ｅの前眼部画像に基づいて移動機構１００Ｄ、１１０Ｄを制御する。アライメント制御部２０１Ａは、例えば、前眼部撮影系１２０により得られた被検眼Ｅの前眼部画像中の特徴部位を特定し、特定された特徴部位の位置と所定の目標位置とのずれ量がキャンセルされるように光学系１００等の移動量を求める。アライメント制御部２０１Ａは、求められた移動量に基づいて移動機構１００Ｄを制御することにより被検眼Ｅに対して光学系１００の位置合わせを行う（ＸＹ方向）。目標位置は、あらかじめ決められた位置であってもよいし、ＵＩ部２３０を用いて指定された前眼部画像中の位置であってもよい。
【００５２】
アライメント制御部２０１Ａは、例えば、前眼部撮影系１２０により得られた被検眼Ｅの前眼部画像の合焦状態（ぼけ具合）を特定し、特定された合焦状態が所望の合焦状態となるように光学系１００のＺ方向の移動量を求めることが可能である。アライメント制御部２０１Ａは、求められた移動量に基づいて移動機構１００Ｄを制御することにより、被検眼Ｅに対する光学系１００の位置合わせを行う（Ｚ方向）。なお、２以上のカメラを用いて互いに異なる方向から前眼部を撮影し、視差が設けられた２以上の画像から３次元的に合焦状態を特定し、特定された合焦状態が所望の合焦状態となるように光学系１００のＺ方向の移動量を求めてもよい。
【００５３】
アライメント制御部２０１Ａは、ＳＬＯ光学系１３０により得られたＳＬＯ画像に基づいて移動機構１１０Ｄを制御することにより被検眼Ｅに対する対物光学系１１０の位置合わせ（Ｚ方向）を行ってもよい。この場合、アライメント制御部２０１Ａは、取得されたＳＬＯ画像の合焦状態（ぼけ具合）を特定し、特定された合焦状態が所望の合焦状態となるように対物光学系１１０のＺ方向の移動量を求める。アライメント制御部２０１Ａは、求められた移動量に基づいて移動機構１１０Ｄを制御する。
【００５４】
トラッキング制御部２０１Ｂは、ＳＬＯ光学系１３０により得られた被検眼ＥのＳＬＯ画像に対するトラッキングを制御する。トラッキング制御部２０１Ｂは、例えば、所定のタイミングでＳＬＯ画像中の特徴部位を特定し、特定された特徴部位の位置が変化したとき、その位置のずれ量がキャンセルされるように移動量を求める。トラッキング制御部２０１Ｂは、求められた移動量に基づいてＳＬＯ画像に対するトラッキングを制御する。
【００５５】
また、トラッキング制御部２０１Ｂは、ＯＣＴ光学系１４０により得られた被検眼ＥのＯＣＴ画像に対するトラッキングをＳＬＯ画像に基づいて制御する。トラッキング制御部２０１Ｂは、例えば、所定のタイミングでＳＬＯ画像中の特徴部位を特定し、特定された特徴部位の位置が変化したとき、その位置のずれ量がキャンセルされるように移動量を求める。トラッキング制御部２０１Ｂは、求められた移動量に基づいてＯＣＴ画像に対するトラッキングを制御する。トラッキング制御部２０１Ｂは、データ処理部２２０に設けられていてもよい。
【００５６】
表示制御部２０１Ｃは、各種情報を後述のＵＩ部２３０に表示させる。ＵＩ部２３０に表示される情報には、制御部２００により生成された情報、画像形成部２１０により形成された画像、データ処理部２２０によるデータ処理後の情報などがある。
【００５７】
表示制御部２０１Ｃは、後述の画像合成部２２０Ｃにより広角画像と狭角画像とを合成することにより得られた合成画像をＵＩ部２３０に表示させる。広角画像は、上記のように、広角撮影モードにて取得された画像（ＳＬＯ画像、ＯＣＴ画像）である。狭角画像は、上記のように、高倍率撮影モードにて取得された画像（ＳＬＯ画像、ＯＣＴ画像）である。
【００５８】
表示制御部２０１Ｃは、静止画像としての合成画像をＵＩ部２３０に表示させたり、動画像としての合成画像をＵＩ部２３０に繰り返し表示させたりすることが可能である。動画像としての合成画像には、合成画像中の狭角画像だけが更新されるものや、合成画像中の広角画像だけが更新されるものなどがある。例えば、ＳＬＯ光学系１３０又はＯＣＴ光学系１４０を用いて広角画像が取得された後に狭角画像が繰り返し取得された場合、合成画像中の狭角画像が新たに取得された狭角画像に更新される。或いは、ＳＬＯ光学系１３０又はＯＣＴ光学系１４０を用いて狭角画像が取得された後に広角画像が繰り返し取得された場合、合成画像中の広角画像が新たに取得された広角画像に更新される。
【００５９】
（画像形成部）
画像形成部２１０は、ＳＬＯ画像形成部２１０Ａと、ＯＣＴ画像形成部２１０Ｂとを含む。ＳＬＯ画像形成部２１０Ａは、検出器１３５から入力される検出信号と、制御部２００から入力される画素位置信号とに基づいて、ＳＬＯ画像の画像データを形成する。ＯＣＴ画像形成部２１０Ｂは、検出器１５５から入力される検出信号と、制御部２００から入力される画素位置信号とに基づいて、ＯＣＴ画像（眼底Ｅｆの断層像）の画像データを形成する。また、画像形成部２１０は、前眼部撮影カメラ１２３の撮像素子による被検眼Ｅの前眼部からの反射光の検出結果に基づいて前眼部画像を形成する。画像形成部２１０により形成された各種の画像（画像データ）は、例えば記憶部２０２に保存される。
【００６０】
（データ処理部）
データ処理部２２０は、各種のデータ処理を実行する。データ処理の例として、画像形成部２１０又は他の装置により形成された画像データに対する処理がある。この処理の例として、各種の画像処理や、画像に対する解析処理や、画像データに基づく画像評価などの診断支援処理がある。
【００６１】
データ処理部２２０は、位置合わせ部２２０Ａと、スケール調整部２２０Ｂと、画像合成部２２０Ｃとを含む。
【００６２】
位置合わせ部２２０Ａは、広角撮影モードで取得された被検眼Ｅの広角画像と、高倍率撮影モードで取得され広角画像の中央部を含む被検眼Ｅの狭角画像との位置合わせを行う。広角画像の中央部は、光軸Ｏ上の位置を含む部分である。広角画像は、広角撮影モード（光軸Ｏに対物光学ユニット１１０Ｂが挿入された状態）においてＳＬＯ画像形成部２１０Ａにより形成された広角（第２範囲）のＳＬＯ画像又はＯＣＴ画像形成部２１０Ｂにより形成された広角のＯＣＴ画像である。狭角画像は、高倍率撮影モード（光軸Ｏから対物光学ユニット１１０Ｂが退避された状態）においてＳＬＯ画像形成部２１０Ａにより形成された狭角（第１範囲）のＳＬＯ画像又はＯＣＴ画像形成部２１０Ｂにより形成された狭角のＯＣＴ画像である。
【００６３】
位置合わせ部２２０Ａは、例えば、狭角画像の中央部を含む中央領域に対応する広角画像の対応領域を特定する。位置合わせ部２２０Ａは、広角画像及び狭角画像のそれぞれの画角と広角画像の中央部を含む中央領域の位置とに基づいて当該対応領域を特定することが可能である。位置合わせ部２２０Ａは、広角画像中の対応領域と、狭角画像との位置合わせを行う。また、位置合わせ部２２０Ａは、広角画像と狭角画像とに共通して描出された眼底Ｅｆの特徴部分（乳頭等の特徴部位、血管など）を特定し、特定された特徴部分を指標として広角画像と狭角画像との位置合わせを行うことも可能である。
【００６４】
スケール調整部２２０Ｂは、広角撮影モードで設定された画角と高倍率撮影モードで設定された画角とに基づいて、位置合わせ部２２０Ａにより位置合わせが行われた広角画像と狭角画像とのスケールを一致させる処理を行う。
【００６５】
画像合成部２２０Ｃは、スケール調整部２２０Ｂによりスケール調整が行われた広角画像と狭角画像とを合成することにより合成画像を形成する。画像合成部２２０Ｃは、光学系１００の光軸Ｏ上の位置を含む広角画像の中央領域（中央部を含む領域、部分領域）を当該中央領域に対応する狭角画像の少なくとも一部の領域で置換することにより合成画像を形成することが可能である。例えば、画像合成部２２０Ｃは、上記のように特定された広角画像中の対応領域を切り取り、当該対応領域に狭角画像の少なくとも一部の領域を配置することにより合成画像を形成する。すなわち、広角画像の中央部を含む領域が、当該領域に対応する狭角画像の少なくとも一部の領域で置換される。広角画像は、その中央部が結像されないため、当該中央部の周辺領域である周辺部の画像である。従って、広角画像の中央部を含む領域を当該領域に対応する狭角画像の少なくとも一部の領域で置換することにより、ゴーストが抑制された広角画像の取得が可能になる。また、広角画像の中央部の解像度が向上する。
【００６６】
また、画像合成部２２０Ｃは、光学系１００の光軸Ｏ上の位置を含む広角画像の中央領域に当該中央領域に対応する狭角画像の少なくとも一部の領域を重畳することにより合成画像を形成することが可能である。例えば、画像合成部２２０Ｃは、上記のように特定された広角画像中の対応領域に狭角画像の少なくとも一部の領域を重畳することにより合成画像を形成する。すなわち、広角画像の中央部を含む領域に、当該領域に対応する狭角画像の少なくとも一部の領域が重畳される。この場合も、ゴーストが抑制された広角画像の取得が可能になる。また、広角画像の中央部の解像度が向上する。
【００６７】
すなわち、画像合成部２２０Ｃは、広角のＳＬＯ画像の中央部が狭角のＳＬＯ画像に置換された合成画像、広角のＳＬＯ画像の中央部に狭角のＳＬＯ画像が重畳された合成画像、広角のＯＣＴ画像の中央部が狭角のＯＣＴ画像に置換された合成画像、又は広角のＯＣＴ画像の中央部に狭角のＯＣＴ画像が重畳された合成画像を形成する。また、画像合成部２２０Ｃは、広角のＳＬＯ画像の中央部が狭角のＯＣＴ画像に置換された合成画像、広角のＳＬＯ画像の中央部に狭角のＯＣＴ画像が重畳された合成画像、広角のＯＣＴ画像の中央部が狭角のＳＬＯ画像に置換された合成画像、又は広角のＯＣＴ画像の中央部に狭角のＳＬＯ画像が重畳された合成画像を形成してもよい。
【００６８】
なお、位置合わせ部２２０Ａが、スケールが一致するように調整された広角画像と狭角画像との位置合わせを行い、画像合成部２２０Ｃが、位置合わせが行われた広角画像と狭角画像とを合成することにより中央部のゴーストが除去された合成画像を形成してもよい。
【００６９】
以上のように、画像合成部２２０Ｃは、光軸Ｏに対物光学ユニット１１０Ｂが挿入された状態で光学系１００により収集されたデータに基づき画像形成部２１０により形成された広角画像と、光軸Ｏから対物光学ユニット１１０Ｂが退避された状態で光学系１００により収集されたデータに基づき画像形成部２１０により形成された狭角画像とを合成して合成画像を形成する。画像合成部２２０Ｃは、狭角画像が中央部に配置され、広角画像が周辺部に配置された合成画像を形成することができる。
【００７０】
（ＵＩ部）
ＵＩ（Ｕｓｅｒ  Ｉｎｔｅｒｆａｃｅ）部２３０は、ユーザと眼科撮影装置との間で情報のやりとりを行うための機能を備える。ＵＩ部２３０は、表示デバイスと操作デバイス（入力デバイス）とを含む。表示デバイスは、表示部を含んでよく、それ以外の表示デバイスを含んでもよい。操作デバイスは、各種のハードウェアキー及び／又はソフトウェアキーを含む。制御部２００は、操作デバイスに対する操作内容を受け、操作内容に対応した制御信号を各部に出力することが可能である。操作デバイスの少なくとも一部と表示デバイスの少なくとも一部とを一体的に構成することが可能である。タッチパネルディスプレイはその一例である。
【００７１】
光学系１００は、実施形態に係る「スキャン系」の一例である。対物光学ユニット１１０Ｂは、実施形態に係る「光学ユニット」の一例である。第２球面鏡１１２Ｂは、実施形態に係る「第１光学部材」の一例である。第１球面鏡１１１Ｂは、実施形態に係る「第２光学部材」の一例である。広角撮影モードに設定されたときに被検眼Ｅを撮影することにより得られた広角画像は、実施形態に係る「第１画像」の一例である。高倍率撮影モードに設定されたときに被検眼Ｅを撮影することにより得られた狭角画像は、実施形態に係る「第２画像」の一例である。
【００７２】
［動作］
実施形態に係る眼科撮影装置の動作について説明する。
【００７３】
「第１動作例］
図５、図６Ａ〜図６Ｅに、実施形態に係る眼科撮影装置の第１動作例を示す。図５は、ＳＬＯ画像を取得するときの眼科撮影装置の動作例のフロー図を表す。図６Ａ〜図６Ｅは、図５の実施形態に係る眼科撮影装置の動作説明図を示す。
【００７４】
（Ｓ１）
まず、画角変更機構１１６により光軸Ｏに広角撮影用対物レンズである対物光学ユニット１１０Ｂが挿入される。例えば、検者、被検者、医師、患者等のユーザが手動で光軸Ｏに対物光学ユニット１１０Ｂを挿入させる。眼科撮影装置は、ＵＩ部２３０に対してユーザにより行われた操作に基づき次の動作に移行することが可能である。また、眼科撮影装置は、光軸Ｏにおける対物光学ユニット１１０Ｂの配置の有無を検出し、その検出結果に基づき光軸Ｏに対物光学ユニット１１０Ｂが配置されていると判定されたとき、次の動作に移行するようにしてもよい。
【００７５】
光軸Ｏに対物光学ユニット１１０Ｂが挿入されると、制御部２００は、前眼部撮影系１２０により被検眼Ｅの前眼部を撮影することにより前眼部画像を取得する。アライメント制御部２０１Ａは、取得された前眼部画像に基づいて移動機構１００Ｄを制御することにより、被検眼Ｅに対する光学系１００及び対物光学系１１０の位置合わせを行う（Ｘ方向、Ｙ方向及びＺ方向）。制御部２００は、光スキャナ１３６をあらかじめ決められた初期位置に移動させる。Ｓ１において、トラッキング制御部２０１Ｂは、ＳＬＯ画像に対するトラッキング制御を開始してもよい。
【００７６】
（Ｓ２）
制御部２００は、ＳＬＯ光源１３１をオンにして、光スキャナ１３６を制御することによりＳＬＯ光源１３１からの光で被検眼Ｅの眼底Ｅｆのスキャンを開始させる。ＳＬＯ画像形成部２１０Ａは、検出器１３５による眼底反射光の検出結果に基づいて眼底ＥｆのＳＬＯ画像を形成する。Ｓ２において得られたＳＬＯ画像は、図６Ａに示すような広角画像である。この広角画像の中央部Ｇには、眼底Ｅｆが描出されない（眼底Ｅｆの観察が困難）。
【００７７】
（Ｓ３）
次に、画角変更機構１１６により光軸Ｏから対物光学ユニット１１０Ｂが退避される。例えば、検者、被検者、医師、患者等のユーザが手動で光軸Ｏから対物光学ユニット１１０Ｂを退避させる。光軸Ｏから対物光学ユニット１１０Ｂが退避されると、Ｓ１と同様に、制御部２００は、アライメントを行い、光スキャナ１３６をあらかじめ決められた初期位置に移動させる。
【００７８】
（Ｓ４）
光軸Ｏに対物光学ユニット１１０Ａだけが配置された状態になると、再び、制御部２００は、アライメントを行い、Ｓ２と同様に、光スキャナ１３６を制御することによりＳＬＯ光源１３１からの光で被検眼Ｅの眼底Ｅｆのスキャンを開始させる。このとき、Ｓ２において取得されたＳＬＯ画像の中央部を含む領域がスキャンするように設定される。ＳＬＯ画像形成部２１０Ａは、検出器１３５による眼底反射光の検出結果に基づいて眼底ＥｆのＳＬＯ画像を形成する。Ｓ４において得られたＳＬＯ画像は、図６Ｂに示すように狭角画像である。この狭角画像の中央部には、ゴーストが描出されない（或いは、ゴーストがほとんど目立たない）。
【００７９】
（Ｓ５）
続いて、位置合わせ部２２０Ａは、図６Ｃに示すように、Ｓ２において取得された被検眼ＥのＳＬＯ画像（広角画像）において、Ｓ４において取得された被検眼ＥのＳＬＯ画像（狭角画像）に対応する領域（対応領域）Ｃ１を特定する。位置合わせ部２２０Ａは、上記のように、Ｓ２において取得された被検眼ＥのＳＬＯ画像（広角画像）と、Ｓ４において取得された被検眼ＥのＳＬＯ画像（狭角画像）との位置合わせを行う。
【００８０】
スケール調整部２２０Ｂは、広角撮影モードで設定された画角と高倍率撮影モードで設定された画角とに基づいて、位置合わせ部２２０Ａにより位置合わせが行われた広角画像と狭角画像とのスケールを一致させる。図６Ｄでは、Ｓ２において取得された広角画像のスケールと一致するように、Ｓ４において取得された狭角画像のスケールが調整されている。このとき、スケール調整部２２０Ｂ（データ処理部２２０）は、広角画像及び狭角画像の少なくとも一方に対して公知の歪み補正処理や色補正処理を施すことが可能である。画像合成部２２０Ｃは、図６Ｅに示すように、スケール調整部２２０Ｂによりスケール調整が行われた広角画像と狭角画像とを合成することにより中央部のゴーストが除去（又は抑制）された合成画像を形成する。例えば、画像合成部２２０Ｃは、広角画像の中央領域を当該中央領域に対応する狭角画像の少なくとも一部の領域で置換することにより合成画像を形成する。
【００８１】
（Ｓ６）
表示制御部２０１Ｃは、Ｓ５において形成された合成画像をＵＩ部２３０に表示させる。
【００８２】
（Ｓ７）
制御部２００は、Ｓ６において表示された合成画像に基づいてユーザが被検眼Ｅの診断が可能か否かを判定する。ユーザはＵＩ部２３０に表示された合成画像を確認し、ＵＩ部２３０に対して診断が可能か否かを指示する。制御部２００は、ＵＩ部２３０に対するユーザの操作内容に基づいて、診断が可能か否かを判定することが可能である。診断が可能であると判定されたとき（Ｓ７：Ｙ）、眼科撮影装置の動作は終了する（エンド）。診断が可能ではないと判定されたとき（Ｓ７：Ｎ）、眼科撮影装置の動作はＳ８に移行する。
【００８３】
（Ｓ８）
診断が可能ではないと判定されたとき（Ｓ７：Ｎ）、ＵＩ部２３０に対するユーザの所定の操作を受け、表示制御部２０１Ｃは、Ｓ４において取得された被検眼ＥのＳＬＯ画像（狭角画像）を拡大してＵＩ部２３０に表示させる。その後、眼科撮影装置の動作は終了する（エンド）。
【００８４】
「第２動作例］
図５、図６Ａ〜図６Ｅは、広角のＳＬＯ画像と狭角のＳＬＯ画像とを合成する場合について説明したが、広角のＯＣＴ画像と狭角のＯＣＴ画像とを合成する場合も同様である。
【００８５】
図７に、実施形態に係る眼科撮影装置の第２動作例を示す。図７は、ＯＣＴ画像を取得するときの眼科撮影装置の動作例のフロー図を表す。
【００８６】
（Ｓ１１）
まず、Ｓ１と同様に、画角変更機構１１６により光軸Ｏに広角撮影用対物レンズである対物光学ユニット１１０Ｂが挿入される。例えば、検者、被検者、医師、患者等のユーザが手動で光軸Ｏに対物光学ユニット１１０Ｂを挿入させる。
【００８７】
光軸Ｏに対物光学ユニット１１０Ｂが挿入されると、制御部２００は、前眼部撮影系１２０により被検眼Ｅの前眼部を撮影することにより前眼部画像を取得する。アライメント制御部２０１Ａは、取得された前眼部画像に基づいて移動機構１００Ｄを制御することにより、被検眼Ｅに対する光学系１００及び対物光学系１１０の位置合わせを行う（Ｘ方向、Ｙ方向及びＺ方向）。制御部２００は、光スキャナ１４２をあらかじめ決められた初期位置に移動させる。
【００８８】
次に、アライメント制御部２０１Ａは、前眼部撮影系１２０により得られた前眼部画像又は別途に得られたＳＬＯ画像から網膜のフォーカス方向のアライメントを行う。それにより、対物光学系１１０の光軸Ｏの方向の位置の微調整が可能になる。
【００８９】
続いて、主制御部２０１は、ＯＣＴ光学系１４０により得られた干渉光の検出信号に基づいてＯＣＴ光学系１４０の焦点位置を変更する。主制御部２０１は、例えば、所定の干渉光の検出信号の振幅が最大となるように移動機構１４１Ｄを制御することによりＯＣＴ光学系１４０の焦点位置を変更する。
【００９０】
Ｓ１１において、トラッキング制御部２０１Ｂは、ＯＣＴ画像に対するトラッキング制御を開始してもよい。
【００９１】
（Ｓ１２）
制御部２００は、ＯＣＴ光源１５１をオンにして、光スキャナ１４２を制御することによりＯＣＴ光源１５１からの光に基づく測定光ＬＳで被検眼Ｅの眼底Ｅｆのスキャンを開始させる。ＯＣＴ画像形成部２１０Ｂは、検出器１５５による干渉光の検出結果に基づいて眼底ＥｆのＯＣＴ画像を形成する。Ｓ１２において得られたＯＣＴ画像は、広角画像である。この広角画像の中央部には、眼底Ｅｆが描出されない（眼底Ｅｆの観察が困難）。
【００９２】
（Ｓ１３）
次に、画角変更機構１１６により光軸Ｏから対物光学ユニット１１０Ｂが退避される。例えば、検者、被検者、医師、患者等のユーザが手動で光軸Ｏから対物光学ユニット１１０Ｂを退避させる。光軸Ｏから対物光学ユニット１１０Ｂが退避されると、Ｓ１１と同様に、制御部２００は、アライメントを行い、光スキャナ１４２をあらかじめ決められた初期位置に移動させる。
【００９３】
（Ｓ１４）
光軸Ｏに対物光学ユニット１１０Ａだけが配置された状態になると、再び、制御部２００は、アライメントを行い、Ｓ１２と同様に、光スキャナ１４２を制御することにより測定光ＬＳで被検眼Ｅの眼底Ｅｆのスキャンを開始させる。ＯＣＴ画像形成部２１０Ｂは、検出器１５５による干渉光の検出結果に基づいて眼底ＥｆのＯＣＴ画像を形成する。このＯＣＴ画像は狭角画像である。この狭角画像の中央部には、ゴーストが描出されない（或いは、ゴーストがほとんど目立たない）。
【００９４】
（Ｓ１５）
続いて、位置合わせ部２２０Ａは、Ｓ１２において取得された被検眼ＥのＯＣＴ画像（広角画像）において、Ｓ１４において取得された被検眼ＥのＯＣＴ画像（狭角画像）に対応する領域（対応領域）を特定する。位置合わせ部２２０Ａは、上記のように、Ｓ１２において取得された被検眼ＥのＯＣＴ画像（広角画像）と、Ｓ１４において取得された被検眼ＥのＯＣＴ画像（狭角画像）との位置合わせを行う。
【００９５】
スケール調整部２２０Ｂは、広角撮影モードで設定された画角と高倍率撮影モードで設定された画角とに基づいて、位置合わせ部２２０Ａにより位置合わせが行われた広角画像と狭角画像とのスケールを一致させる。このとき、スケール調整部２２０Ｂ（データ処理部２２０）は、広角画像及び狭角画像の少なくとも一方に対して公知の歪み補正処理や色補正処理を施すことが可能である。画像合成部２２０Ｃは、スケール調整部２２０Ｂによりスケール調整が行われた広角画像と狭角画像とを合成することにより中央部のゴーストが除去（又は抑制）された合成画像を形成する。例えば、画像合成部２２０Ｃは、広角画像の中央領域を当該中央領域に対応する狭角画像の少なくとも一部の領域で置換することにより合成画像を形成する。
【００９６】
（Ｓ１６）
表示制御部２０１Ｃは、Ｓ１５において形成された合成画像をＵＩ部２３０に表示させる。
【００９７】
（Ｓ１７）
制御部２００は、Ｓ７と同様に、Ｓ１６において表示された合成画像に基づいてユーザが被検眼Ｅの診断が可能か否かを判定する。診断が可能であると判定されたとき（Ｓ１７：Ｙ）、眼科撮影装置の動作は終了する（エンド）。診断が可能ではないと判定されたとき（Ｓ１７：Ｎ）、眼科撮影装置の動作はＳ１８に移行する。
【００９８】
（Ｓ１８）
診断が可能ではないと判定されたとき（Ｓ１７：Ｎ）、ＵＩ部２３０に対するユーザの所定の操作を受け、表示制御部２０１Ｃは、Ｓ１４において取得された被検眼ＥのＯＣＴ画像（狭角画像）を拡大してＵＩ部２３０に表示させる。その後、眼科撮影装置の動作は終了する（エンド）。
【００９９】
図５は広角のＳＬＯ画像と狭角のＳＬＯ画像とを合成する場合について説明し、図７は広角のＯＣＴ画像と狭角のＯＣＴ画像とを合成する場合について説明したが、一方がＳＬＯ画像で他方がＯＣＴ画像である場合にこれらを合成するようにしてもよい。
【０１００】
「第３動作例］
【０１０１】
図８に、実施形態に係る眼科撮影装置の第３動作例を示す。図８は、広角のＳＬＯ画像と狭角のＳＬＯ画像とを合成し、狭角のＳＬＯ画像だけを更新するときの眼科撮影装置の動作例のフロー図を表す。
【０１０２】
（Ｓ２１）
まず、Ｓ１と同様に、画角変更機構１１６により光軸Ｏに対物光学ユニット１１０Ｂが挿入される。例えば、検者、被検者、医師、患者等のユーザが手動で光軸Ｏに対物光学ユニット１１０Ｂを挿入させる。
【０１０３】
光軸Ｏに対物光学ユニット１１０Ｂが挿入されると、制御部２００は、前眼部撮影系１２０により被検眼Ｅの前眼部を撮影することにより前眼部画像を取得する。アライメント制御部２０１Ａは、取得された前眼部画像に基づいて移動機構１００Ｄを制御することにより、被検眼Ｅに対する光学系１００及び対物光学系１１０の位置合わせを行う（Ｘ方向、Ｙ方向及びＺ方向）。制御部２００は、光スキャナ１３６をあらかじめ決められた初期位置に移動させる。Ｓ２１において、トラッキング制御部２０１Ｂは、ＳＬＯ画像に対するトラッキング制御を開始してもよい。
【０１０４】
（Ｓ２２）
制御部２００は、ＳＬＯ光源１３１をオンにして、光スキャナ１３６を制御することによりＳＬＯ光源１３１からの光で被検眼Ｅの眼底Ｅｆのスキャンを開始させる。ＳＬＯ画像形成部２１０Ａは、検出器１３５による眼底反射光の検出結果に基づいて眼底ＥｆのＳＬＯ画像を形成する。Ｓ２２において得られたＳＬＯ画像は、広角画像である。
【０１０５】
（Ｓ２３）
次に、画角変更機構１１６により光軸Ｏから対物光学ユニット１１０Ｂが退避される。例えば、検者、被検者、医師、患者等のユーザが手動で光軸Ｏから対物光学ユニット１１０Ｂを退避させる。光軸Ｏから対物光学ユニット１１０Ｂが退避されると、Ｓ１と同様に、制御部２００は、アライメントを行い、光スキャナ１３６をあらかじめ決められた初期位置に移動させる。
【０１０６】
（Ｓ２４）
制御部２００は、Ｓ２２と同様に、光スキャナ１４２を制御することによりＯＣＴ光源１５１からの光に基づく測定光ＬＳで被検眼Ｅの眼底Ｅｆのスキャンを開始させる。このとき、Ｓ２２において取得されたＳＬＯ画像の中央部を含む領域がスキャンするように設定される。ＳＬＯ画像形成部２１０Ａは、検出器１３５による眼底反射光の検出結果に基づいて眼底ＥｆのＳＬＯ画像を形成する。Ｓ２４において得られたＳＬＯ画像は、狭角画像である。
【０１０７】
（Ｓ２５）
続いて、位置合わせ部２２０Ａは、Ｓ２２において取得された被検眼ＥのＳＬＯ画像（広角画像）において、Ｓ２４において取得された被検眼ＥのＳＬＯ画像（狭角画像）に対応する領域（対応領域）を特定する。位置合わせ部２２０Ａは、上記のように、Ｓ２２において取得された被検眼ＥのＳＬＯ画像（広角画像）と、Ｓ２４において取得された被検眼ＥのＳＬＯ画像（狭角画像）との位置合わせを行う。
【０１０８】
スケール調整部２２０Ｂは、広角撮影モードで設定された画角と高倍率撮影モードで設定された画角とに基づいて、位置合わせ部２２０Ａにより位置合わせが行われた広角画像と狭角画像とのスケールを一致させる。このとき、スケール調整部２２０Ｂ（データ処理部２２０）は、広角画像及び狭角画像の少なくとも一方に対して公知の歪み補正処理や色補正処理を施すことが可能である。画像合成部２２０Ｃは、スケール調整部２２０Ｂによりスケール調整が行われた広角画像と狭角画像とを合成することにより中央部のゴーストが除去（又は抑制）された合成画像を形成する。例えば、画像合成部２２０Ｃは、広角画像の中央領域を当該中央領域に対応する狭角画像の少なくとも一部の領域で置換することにより合成画像を形成する。
【０１０９】
（Ｓ２６）
表示制御部２０１Ｃは、Ｓ２５において形成された合成画像をＵＩ部２３０に表示させる。
【０１１０】
（Ｓ２７）
制御部２００は、Ｓ７と同様に、Ｓ２６において表示された合成画像に基づいてユーザが被検眼Ｅの診断が可能か否かを判定する。診断が可能であると判定されたとき（Ｓ２７：Ｙ）、眼科撮影装置の動作はＳ２４に移行する。それにより、Ｓ２４では新たに狭角のＳＬＯ画像が取得され、Ｓ２５では、合成画像中の狭角のＳＬＯ画像がＳ２４で新たに取得された狭角のＳＬＯ画像に更新される。この場合、狭角のＳＬＯ画像が取得されるごとに、合成画像中の狭角のＳＬＯ画像が新たな狭角のＳＬＯ画像で更新される。
【０１１１】
Ｓ２７において、診断が可能ではないと判定されたとき（Ｓ２７：Ｎ）、眼科撮影装置の動作はＳ２８に移行する。
【０１１２】
（Ｓ２８）
診断が可能ではないと判定されたとき（Ｓ２７：Ｎ）、ＵＩ部２３０に対するユーザの所定の操作を受け、表示制御部２０１Ｃは、Ｓ２４において取得された被検眼ＥのＳＬＯ画像（狭角画像）を拡大してＵＩ部２３０に表示させる。その後、眼科撮影装置の動作は終了する（エンド）。
【０１１３】
なお、図８は、広角のＳＬＯ画像と狭角のＳＬＯ画像とを合成し、狭角のＳＬＯ画像だけを更新する場合について説明したが、広角のＯＣＴ画像と狭角のＯＣＴ画像とを合成し、狭角のＯＣＴ画像だけを更新する場合も同様である。また、広角のＳＬＯ画像と狭角のＯＣＴ画像とを合成し、広角のＳＬＯ画像又は狭角のＯＣＴ画像だけを更新したり、広角のＯＣＴ画像と狭角のＳＬＯ画像とを合成し、広角のＯＣＴ画像又は狭角のＳＬＯ画像だけを更新したりしてもよい。
【０１１４】
＜変形例＞
実施形態に係る対物光学ユニット１１０Ｂの構成は、図２及び図３に示すものに限定されない。
【０１１５】
（第１変形例）
図９Ａに、実施形態の第１変形例に係る対物光学ユニット１１０Ｂの構成例を示す。図９Ａにおいて、図２と同様の部分には同一符号を付し、適宜説明を省略する。
【０１１６】
第１変形例に係る対物光学ユニット１１０Ｂは、第１球面鏡１１１Ｂ及び第２球面鏡１１２Ｂに加えて、１以上の収差補正レンズ（収差補正素子）を含む。１以上の収差補正レンズの少なくとも１つは、第１球面鏡１１１Ｂと第２球面鏡１１２Ｂとの間に配置されていてもよい。例えば、対物光学ユニット１１０Ｂは、第１球面鏡１１１Ｂ及び第２球面鏡１１２Ｂに加えて、収差補正レンズ１１３Ｂ、１１４Ｂを含む。収差補正レンズ１１３Ｂは、第１球面鏡１１１Ｂと第２球面鏡１１２Ｂとの間に配置されている。収差補正レンズ１１４Ｂは、第２球面鏡１１２Ｂと対物光学ユニット１１０Ａ（凸レンズ１１１Ａ）との間に配置されている。
【０１１７】
第１変形例によれば、実施形態と比べて、更に、広角撮影を行うときの高精度な収差補正を簡素な構成で行うことができる。
【０１１８】
（第２変形例）
図９Ｂに、実施形態の第２変形例に係る対物光学ユニット１１０Ｂの構成例を示す。図９Ｂにおいて、図２と同様の部分には同一符号を付し、適宜説明を省略する。
【０１１９】
第２変形例に係る対物光学ユニット１１０Ｂは、反射屈折光学系の光学素子として、被検眼Ｅに対向して配置される対物レンズ１１５Ｂを含む。対物レンズ１１５Ｂの光学系１００の側の第１レンズ面における光軸Ｏの近傍には、第１透光領域１１５ａが設けられている。対物レンズ１１５Ｂの第１レンズ面における第１透光領域１１５ａ以外の領域の少なくとも一部には、第１内部反射領域１１５ｂが設けられている。対物レンズ１１５Ｂの被検眼Ｅの側の第２レンズ面における光軸Ｏの近傍には、第２透光領域１１５ｃが設けられている。対物レンズ１１５Ｂの第２レンズ面における第２透光領域１１５ｃ以外の領域の少なくとも一部には、第２内部反射領域１１５ｄが設けられている。
【０１２０】
第１透光領域１１５ａ及び第２透光領域１１５ｃは、光が通過する領域である。第１内部反射領域１１５ｂ及び第２内部反射領域１１５ｄは、対物レンズ１１５Ｂ内を導かれてきた光を対物レンズ１１５Ｂの内部に向けて反射する領域である。例えば、第１レンズ面における第１透光領域１１５ａ以外の領域に対して公知のコーティング処理を施すことにより、第１内部反射領域１１５ｂが形成される。同様に、第２レンズ面における第２透光領域１１５ｃ以外の領域に対して公知のコーティング処理を施すことにより、第２内部反射領域１１５ｄが形成される。
【０１２１】
対物光学ユニット１１０Ｂは、対物光学ユニット１１０Ａを通過し、光軸Ｏに対して斜行して第１透光領域１１５ａを通過した光を、第２内部反射領域１１５ｄと第１内部反射領域１１５ｂとにおいて反射して第２透光領域１１５ｃを通じて眼底に照射する。被検眼Ｅの眼底に照射された光の戻り光は、同じ経路を通って光学系１００に導かれる。
【０１２２】
第２変形例によれば、実施形態に比べて対物光学ユニット１１０Ｂを構成する光学素子の数を大幅に削減すること可能になる。
【０１２３】
（その他の変形例）
実施形態では、撮影モードに対応した対物光学ユニットを選択的に配置することにより画角を変更する場合について説明したが、実施形態に係る構成はこれに限定されるものではない。例えば、光学系１００は、ズーム光学系を含んでもよい。この場合、ズーム光学系は、少なくとも１つが光学系１００の光軸Ｏに沿って移動可能な２以上のレンズを含む対物光学系、又は光軸Ｏに対して挿脱可能な１以上の光学素子（レンズ、プリズム、板ガラス等）を含む。１以上の光学素子は、ダイクロイックミラーＤＭ２と対物光学ユニットとの間に挿入可能である。
【０１２４】
実施形態に係る制御部２００は、広角撮影モードのときの作動距離（ワーキングディスタンス）が高倍率撮影モードのときの作動距離より短くなるように少なくとも対物光学系１１０（光学系１００）を移動させてもよい。
【０１２５】
前述の実施形態では、光学系１００の構成が図１及び図３に示す構成である場合について説明したが、実施形態に係る光学系の構成はこれに限定されるものではない。実施形態に係る光学系は、レーザー光を眼底における治療部位に照射するための光学系や、被検眼に固視させた状態で視標を移動させるための光学系などを備えていてもよい。
【０１２６】
前述の実施形態では、対物光学系１１０の構成が図１〜図３に示す構成である場合について説明したが、実施形態に係る対物光学系の構成はこれに限定されるものではない。
【０１２７】
実施形態に係る前眼部撮影系は、互いに異なる２以上の方向から被検眼Ｅの前眼部を撮影するための２以上のカメラを含んでいてもよい。この場合、実施形態に係るアライメント制御部２０１Ａは、これらのカメラを用いて取得された互いに異なる２以上の方向からの前眼部の撮影画像に基づいて得られる視差からＺ方向のアライメントを実行することが可能である。
【０１２８】
前述の実施形態では、前眼部撮影系１２０を用いて取得された前眼部画像を用いてアライメントを行う場合について説明したが、取得された前眼部画像をＵＩ部２３０に設けられた表示デバイスに表示させてもよい。また、取得された前眼部画像をアライメントに用いなくてもよい。
【０１２９】
［効果］
実施形態に係る眼科撮影装置の効果について説明する。
【０１３０】
実施形態に係る眼科撮影装置は、対物光学系（対物光学系１１０）と、スキャン系（光学系１００）とを含む。スキャン系は、対物光学系を介して眼底（眼底Ｅｆ）を光束でスキャンするために用いられる。対物光学系は、第１光学部材（第２球面鏡１１２Ｂ）と、第１光学部材よりも被検眼（被検眼Ｅ）側に配置された第２光学部材（第１球面鏡１１１Ｂ）と、を含む光学ユニット（対物光学ユニット１１０Ｂ）を含み、スキャン系の光軸（光軸Ｏ）に対して斜行して第１光学部材における光軸の近傍領域を通過した光束を少なくとも２回反射して第２光学部材における光軸の近傍領域を通じて眼底に照射する。
【０１３１】
このような構成によれば、対物光学系を反射光学系の光学部材である第１光学部材及び第２光学部材を用いてスキャン系により眼底をスキャンするようにしたので、対物レンズや被検眼の角膜の表面反射に起因したゴースト（ノイズ）の描出が抑制された広角の画像の取得が可能になる。また、対物光学系を構成する光学素子の数を削減することができ、構成を簡素化することができる。
【０１３２】
また、実施形態に係る眼科撮影装置では、対物光学系は、１以上の収差補正素子（収差補正レンズ１１３Ｂ、１１４Ｂ）を含んでもよい。
【０１３３】
このような構成によれば、光学素子の数を大幅に削減しつつ、簡素な構成で高精度な収差補正を行うことができるようになる。
【０１３４】
また、実施形態に係る眼科撮影装置では、１以上の収差補正素子の少なくとも１つ（収差補正レンズ１１３Ｂ）は、第１光学部材と第２光学部材との間に配置されていてもよい。
【０１３５】
このような構成によれば、簡素な構成で高精度な収差補正を行うことができるようになる。
【０１３６】
また、実施形態に係る眼科撮影装置では、第１光学部材の被検眼側の面と第２光学部材のスキャン系側の面のそれぞれが光束を反射してもよい。
【０１３７】
このような構成によれば、スキャン系と被検眼との間に配置された対物光学系において、第１光学部材の被検眼側の面と第２光学部材のスキャン系側の面とで光束を反射させるようにしたので、対物光学系のサイズを小さくすることができる。それにより、眼科撮影装置の小型化が可能になる。
【０１３８】
また、実施形態に係る眼科撮影装置では、近傍領域は、開口又は透光部として形成されていてもよい。
【０１３９】
このような構成によれば、簡素な構成で、対物レンズや被検眼の角膜の表面反射に起因したゴースト（ノイズ）の描出が抑制された画像の取得が可能になる。
【０１４０】
実施形態に係る眼科撮影装置は、対物光学系（対物光学系１１０）と、スキャン系（光学系１００）とを含む。スキャン系は、対物光学系を介して眼底（眼底Ｅｆ）を光束でスキャンするために用いられる。対物光学系は、被検眼（被検眼Ｅ）に対向して配置される対物レンズ（対物レンズ１１５Ｂ）を含む光学ユニット（対物光学ユニット１１０Ｂ）を含み、対物レンズは、スキャン系側の第１レンズ面におけるスキャン系の光軸（光軸Ｏ）の近傍に形成された第１透光領域と、第１レンズ面における第１透光領域以外の領域の少なくとも一部に形成された第１内部反射領域と、被検眼側の第２レンズ面における光軸の近傍に形成された第２透光領域と、第２レンズ面における第２透光領域以外の領域の少なくとも一部に形成された第２内部反射領域と、を備え、光軸に対して斜行して第１透光領域を通過した光束を第１内部反射領域及び第２内部反射領域において反射して第２透光領域を通じて眼底に照射する。
【０１４１】
このような構成によれば、対物光学系を反射屈折光学系の光学部材として、第１レンズ面に第１透光領域及び第１内部反射領域が形成され、第２レンズ面に第２透光領域及び第２内部反射領域が形成された対物レンズを用いてスキャン系により眼底をスキャンするようにしたので、対物レンズや被検眼の角膜の表面反射に起因したゴースト（ノイズ）の描出が抑制された広角の画像の取得が可能になる。また、対物光学系を構成する光学素子の数を削減することができ、構成を簡素化することができる。
【０１４２】
また、実施形態に係る眼科撮影装置では、対物光学系は、スキャン系と光学ユニットとの間に配置された１以上のレンズ（凸レンズ１１１Ａ、１１２Ａ、凹レンズ１１３Ａ）を含み、光学ユニットは、光束の光路に対して挿脱可能であってもよい。
【０１４３】
このような構成によれば、対物光学系における光学ユニットの挿脱により、簡便に画角を変更しつつ、ゴーストの描出が抑制された広角画像の取得が可能な眼科撮影装置を提供することができる。
【０１４４】
また、実施形態に係る眼科撮影装置は、スキャン系により収集されたデータに基づいて画像を形成する画像形成部（画像形成部２１０）と、光路に光学ユニットが挿入された状態でスキャン系により収集されたデータに基づき画像形成部により形成された第１画像（広角画像）と、光路から光学ユニットが退避された状態でスキャン系により収集されたデータに基づき画像形成部により形成された第２画像（狭角画像）とを合成して合成画像を形成する画像合成部（画像合成部２２０Ｃ）と、を含んでもよい。
【０１４５】
このような構成によれば、中央部に対物レンズや被検眼の角膜の表面反射に起因したゴーストが描出されないが当該中央部に眼底が描出されない広角の第１画像と、中央部にゴーストが描出されないが当該中央部に高倍率の眼底が描出された狭角の第２画像とを合成するようにしたので、ゴーストの描出が抑制された広角の画像の取得が可能になる。
【０１４６】
また、実施形態に係る眼科撮影装置では、画像合成部は、第２画像が中央部に配置され、第１画像が周辺部に配置された合成画像を形成してもよい。
【０１４７】
このような構成によれば、眼底の狭角の第２画像が中央部に配置され、眼底の広角の第１画像が周辺部に配置された合成画像を形成するようにしたので、ゴーストの描出が抑制された広角の画像の取得が可能になる。
【０１４８】
以上に示された実施形態は、この発明を実施するための一例に過ぎない。この発明を実施しようとする者は、この発明の要旨の範囲内において任意の変形、省略、追加等を施すことが可能である。
【符号の説明】
【０１４９】
１００  光学系
１１０  対物光学系
１１０Ａ、１１０Ｂ  対物光学ユニット
１１１Ｂ  第１球面鏡
１１２Ｂ  第２球面鏡
１１６  画角変更機構
１２０  前眼部撮影系
１３０  ＳＬＯ光学系
１４０  ＯＣＴ光学系
１５０  干渉光学系
２００  制御部
２１０  画像形成部
２２０  データ処理部
２２０Ｃ  画像合成部
２３０  ＵＩ部
ＤＭ１  ダイクロイックミラー
Ｅ  被検眼
Ｅｆ  眼底
【図１】
0006756498.tif 000002
【図２】
0006756498.tif 000003
【図３】
0006756498.tif 000004
【図４】
0006756498.tif 000005
【図５】
0006756498.tif 000006
【図６Ａ】
0006756498.tif 000007
【図６Ｂ】
0006756498.tif 000008
【図６Ｃ】
0006756498.tif 000009
【図６Ｄ】
0006756498.tif 000010
【図６Ｅ】
0006756498.tif 000011
【図７】
0006756498.tif 000012
【図８】
0006756498.tif 000013
【図９Ａ】
0006756498.tif 000014
【図９Ｂ】
0006756498.tif 000015